(57)【要約】【課題】被監視装置において多く電力を消費している箇所、あるいは、複数の被監視装置の中で多く電力を消費している被監視装置を判断可能とする電力監視装置または電力監視システムを低コストで提供する。【解決手段】本実施形態による電力監視装置は、電源から第１の被監視装置へ供給される第１の電圧の測定値を受け取る第１のデータ入力部と、電源から第１の被監視装置へ供給される第１の電流の測定値あるいは電力の測定値を受け取る第２のデータ入力部と、電源と等しい電圧の電源から電力供給を受ける第２の被監視装置に供給される第２の電流の測定値を受け取る第３のデータ入力部と、第１の電圧の測定値と第１の電流の測定値とに基づいてあるいは電力の測定値に基づいて第１の被監視装置の消費電力を求め、第１の電圧の測定値と第２の電流の測定値とに基づいて第２の被監視装置の消費電力を算出する演算部とを備えている。【選択図】図３
2015064222.tif 000002
【特許請求の範囲】
【請求項１】
電源から第１の被監視装置へ供給される第１の電圧の測定値を受け取る第１のデータ入力部と、
前記電源から前記第１の被監視装置へ供給される第１の電流の測定値あるいは電力の測定値を受け取る第２のデータ入力部と、
前記電源と等しい電圧の電源から電力供給を受ける第２の被監視装置に供給される第２の電流の測定値を受け取る第３のデータ入力部と、
前記第１の電圧の測定値と前記第１の電流の測定値とに基づいてあるいは前記電力の測定値に基づいて前記第１の被監視装置の消費電力を求め、前記第１の電圧の測定値と前記第２の電流の測定値とに基づいて前記第２の被監視装置の消費電力を算出する演算部とを備えた電力監視装置。
【請求項２】
前記第１のデータ入力部は、前記第１の被監視装置の電源部に取り付けられた電圧測定器から前記第１の電圧の測定値を受け取り、
前記第２のデータ入力部は、前記第１の被監視装置の電源部に取り付けられた電流測定器から前記第１の電流の測定値を受け取り、
前記第３のデータ入力部は、前記第２の被監視装置の電源部に取り付けられた電流測定器から前記第２の電流の測定値を受け取ることを特徴とする請求項１に記載の電力監視装置。
【請求項３】
前記第１および前記第２のデータ入力部は、前記第１の被監視装置の電源部に取り付けられた電力測定器から前記第１の電圧の測定値および前記電力の測定値をそれぞれ受け取り、
前記第３のデータ入力部は、前記第２の被監視装置の電源部に取り付けられた電流測定器から前記第２の電流の測定値を受け取ることを特徴とする請求項１に記載の電力監視装置。
【請求項４】
電源から第１の被監視装置へ供給される第１の電圧の測定値および第１の電流の測定値、あるいは、前記電源から前記第１の被監視装置へ供給される電力の測定値を受け取り、前記第１の電圧の測定値と前記第１の電流の測定値とに基づいて、あるいは、前記電力の測定値に基づいて、前記第１の被監視装置の消費電力を算出する第１の電力監視装置と、
前記第１の電圧の測定値を前記第１の電力監視装置から受け取り、前記電源と等しい電圧の電源から電力供給を受ける第２の被監視装置に供給される第２の電流の測定値を受け取り、該第１の電圧の測定値と該第２の電流の測定値とに基づいて前記第２の被監視装置の消費電力を算出する第２の電力監視装置とを備えた電力監視システム。
【請求項５】
前記第１の電力監視装置は、前記第１の被監視装置の電源部に取り付けられた電圧測定器および電流測定器から前記第１の電圧の測定値および前記第１の電流の測定値を受け取り、
前記第２の電力監視装置は、前記第２の被監視装置の電源部に取り付けられた電流測定器から前記第２の電流の測定値を受け取ることを特徴とする請求項４に記載の電力監視システム。
【請求項６】
前記第１の電力監視装置は、前記第１の被監視装置の電源部に取り付けられた電力測定器から前記第１の電圧の測定値および前記電力の測定値を受け取り、
前記第２の電力監視装置は、前記第２の被監視装置の電源部に取り付けられた電流測定器から前記第２の電流の測定値を受け取ることを特徴とする請求項４に記載の電力監視システム。
【請求項７】
電源から被監視装置の第１の部分へ供給される第１の電圧の測定値を受け取る第１のデータ入力部と、
前記電源から前記被監視装置の第１の部分へ供給される第１の電流の測定値あるいは電力の測定値を受け取る第２のデータ入力部と、
前記電源と等しい電圧の電源から電力供給を受ける前記被監視装置の第２の部分に供給される第２の電流の測定値を受け取る第３のデータ入力部と、
前記第１の電圧の測定値と前記第１の電流の測定値とに基づいて、あるいは、前記電力の測定値に基づいて、前記第１の部分の消費電力を算出し、前記第１の電圧の測定値と前記第２の電流の測定値とに基づいて前記第２の部分の消費電力を算出する演算部とを備えた電力監視装置。
【請求項８】
電源から被監視装置の第１の部分へ供給される第１の電圧の測定値および第１の電流の測定値、あるいは、前記電源から前記第１の部分へ供給される電力の測定値を受け取り、前記第１の電圧の測定値と前記第１の電流の測定値とに基づいて、あるいは、前記電力の測定値に基づいて、前記第１の部分の消費電力を算出する第１の電力監視装置と、
前記第１の電圧の測定値を前記第１の電力監視装置から受け取り、前記電源と等しい電圧の電源から電力供給を受ける前記被監視装置の第２の部分に供給される第２の電流の測定値を受け取り、該第１の電圧の測定値と該第２の電流の測定値とに基づいて前記第２の部分の消費電力を算出する第２の電力監視装置とを備えた電力監視システム。
【請求項９】
共通電源から複数の被監視装置へ共通に供給される第１の電圧の測定値を受け取る電圧データ入力部と、
前記共通電源から前記複数の被監視装置へ供給されるそれぞれの電流の測定値あるいはそれぞれの電力の測定値を受け取る複数の電流／電力データ入力部と、
前記第１の電圧の測定値と前記複数の被監視装置のそれぞれの電流の測定値とに基づいて、あるいは、前記第１の電圧の測定値と前記複数の被監視装置のそれぞれの電力の測定値に基づいて、前記複数の被監視装置のそれぞれの消費電力を算出する演算部とを備えた電力監視装置。
【発明の詳細な説明】
【技術分野】
【０００１】
本発明による実施形態は、電力監視装置または電力監視システムに関する。
【背景技術】
【０００２】
近年、省エネ等のために工作機械等の装置（以下、被監視装置ともいう）の消費電力を監視したいという要望が多い。しかし、被監視装置には、電力監視機能を有しないものも多い。従って、既存の被監視装置の消費電力を監視するためには、その被監視装置に電力測定器を別途取り付ける必要がある。
【先行技術文献】
【特許文献】
【０００３】
【特許文献１】特許第２５４５４６５号明細書
【特許文献２】特許第１９２７５８号明細書
【発明の概要】
【発明が解決しようとする課題】
【０００４】
電力測定器は高価であるため、被監視装置の多くの部分に電力測定器を設置し、あるいは、多くの被監視装置に電力測定器を設置することはコスト高に繋がる。従って、電力測定器は、被監視装置の主要な電源あるいは主要な被監視装置のみに設置されていた。
【０００５】
しかし、この場合、被監視装置のどの部分が多く電力を消費しているのか、あるいは、どの被監視装置が多くの電力を消費しているのかを判断することは困難であった。
【０００６】
そこで、本発明は、上記問題点を解決するためになされたもので、被監視装置において多く電力を消費している箇所、あるいは、複数の被監視装置の中で多く電力を消費している被監視装置を判断可能とする電力監視装置または電力監視システムを低コストで提供することである。
【課題を解決するための手段】
【０００７】
本実施形態による電力監視装置は、電源から第１の被監視装置へ供給される第１の電圧の測定値を受け取る第１のデータ入力部と、前記電源から前記第１の被監視装置へ供給される第１の電流の測定値あるいは電力の測定値を受け取る第２のデータ入力部と、前記電源と等しい電圧の電源から電力供給を受ける第２の被監視装置に供給される第２の電流の測定値を受け取る第３のデータ入力部と、前記第１の電圧の測定値と前記第１の電流の測定値とに基づいてあるいは前記電力の測定値に基づいて前記第１の被監視装置の消費電力を求め、前記第１の電圧の測定値と前記第２の電流の測定値とに基づいて前記第２の被監視装置の消費電力を算出する演算部とを備えている。
【０００８】
前記第１のデータ入力部は、前記第１の被監視装置の電源部に取り付けられた電圧測定器から前記第１の電圧の測定値を受け取り、前記第２のデータ入力部は、前記第１の被監視装置の電源部に取り付けられた電流測定器から前記第１の電流の測定値を受け取り、前記第３のデータ入力部は、前記第２の被監視装置の電源部に取り付けられた電流測定器から前記第２の電流の測定値を受け取ってもよい。
【０００９】
前記第１および前記第２のデータ入力部は、前記第１の被監視装置の電源部に取り付けられた電力測定器から前記第１の電圧の測定値および前記電力の測定値をそれぞれ受け取り、前記第３のデータ入力部は、前記第２の被監視装置の電源部に取り付けられた電流測定器から前記第２の電流の測定値を受け取ってもよい。
【００１０】
本実施形態による電力監視システムは、電源から第１の被監視装置へ供給される第１の電圧の測定値および第１の電流の測定値、あるいは、前記電源から前記第１の被監視装置へ供給される電力の測定値を受け取り、前記第１の電圧の測定値と前記第１の電流の測定値とに基づいて、あるいは、前記電力の測定値に基づいて、前記第１の被監視装置の消費電力を算出する第１の電力監視装置と、
前記第１の電圧の測定値を前記第１の電力監視装置から受け取り、前記電源と等しい電圧の電源から電力供給を受ける第２の被監視装置に供給される第２の電流の測定値を受け取り、該第１の電圧の測定値と該第２の電流の測定値とに基づいて前記第２の被監視装置の消費電力を算出する第２の電力監視装置とを備えている。
【００１１】
前記第１の電力監視装置は、前記第１の被監視装置の電源部に取り付けられた電圧測定器および電流測定器から前記第１の電圧の測定値および前記第１の電流の測定値を受け取り、前記第２の電力監視装置は、前記第２の被監視装置の電源部に取り付けられた電流測定器から前記第２の電流の測定値を受け取ってもよい。
【００１２】
前記第１の電力監視装置は、前記第１の被監視装置の電源部に取り付けられた電力測定器から前記第１の電圧の測定値および前記電力の測定値を受け取り、前記第２の電力監視装置は、前記第２の被監視装置の電源部に取り付けられた電流測定器から前記第２の電流の測定値を受け取ってもよい。
【００１３】
他の実施形態による電力監視装置は、電源から被監視装置の第１の部分へ供給される第１の電圧の測定値を受け取る第１のデータ入力部と、前記電源から前記被監視装置の第１の部分へ供給される第１の電流の測定値あるいは電力の測定値を受け取る第２のデータ入力部と、前記電源と等しい電圧の電源から電力供給を受ける前記被監視装置の第２の部分に供給される第２の電流の測定値を受け取る第３のデータ入力部と、前記第１の電圧の測定値と前記第１の電流の測定値とに基づいて、あるいは、前記電力の測定値に基づいて、前記第１の部分の消費電力を算出し、前記第１の電圧の測定値と前記第２の電流の測定値とに基づいて前記第２の部分の消費電力を算出する演算部とを備えている。
【００１４】
他の実施形態による電力監視システムは、電源から被監視装置の第１の部分へ供給される第１の電圧の測定値および第１の電流の測定値、あるいは、前記電源から前記第１の部分へ供給される電力の測定値を受け取り、前記第１の電圧の測定値と前記第１の電流の測定値とに基づいて、あるいは、前記電力の測定値に基づいて、前記第１の部分の消費電力を算出する第１の電力監視装置と、
前記第１の電圧の測定値を前記第１の電力監視装置から受け取り、前記電源と等しい電圧の電源から電力供給を受ける前記被監視装置の第２の部分に供給される第２の電流の測定値を受け取り、該第１の電圧の測定値と該第２の電流の測定値とに基づいて前記第２の部分の消費電力を算出する第２の電力監視装置とを備えている。
【００１５】
本実施形態による電力監視装置は、共通電源から複数の被監視装置へ共通に供給される第１の電圧の測定値を受け取る電圧データ入力部と、前記共通電源から前記複数の被監視装置へ供給されるそれぞれの電流の測定値あるいはそれぞれの電力の測定値を受け取る複数の電流／電力データ入力部と、前記第１の電圧の測定値と前記複数の被監視装置のそれぞれの電流の測定値とに基づいて、あるいは、前記第１の電圧の測定値と前記複数の被監視装置のそれぞれの電力の測定値に基づいて、前記複数の被監視装置のそれぞれの消費電力を算出する演算部とを備えている。
【図面の簡単な説明】
【００１６】
【図１】第１の実施形態に従った電力監視装置１００の一例を示す外観図。
【図２】第１の実施形態に従った電力監視装置１００の構成の一例を示すブロック図。
【図３】第１の実施形態による電力監視装置１００と被監視装置２００−１〜２００−３との接続関係の一例を示す図。
【図４】第１の実施形態の変形例による電力監視装置１００と被監視装置２００−１〜２００−３との接続関係の一例を示す図。
【図５】第２の実施形態による電力監視装置１００−１〜１００−３と被監視装置２００−１〜２００−３との接続関係の一例を示す図。
【図６】第２の実施形態の変形例による電力監視装置１００−１〜１００−３と被監視装置２００−１〜２００−３との接続関係の一例を示す図。
【発明を実施するための形態】
【００１７】
以下、図面を参照して本発明に係る実施形態を説明する。本実施形態は、本発明を限定するものではない。
【００１８】
（第１の実施形態）
図１は、第１の実施形態に従った電力監視装置１００の一例を示す外観図である。電力監視装置１００は、工作機械または射出成形機等の被監視装置（図３、図４の参照番号２００参照）の消費電力を記録するために、該被監視装置に接続される。
【００１９】
電力監視装置１００は、筐体１と、電源２と、メモリカードスロット３と、データ入力部２０と、状態信号入力部３０と、ディスプレイ５１とを備えている。筐体１の内部には、図２に示すようにＰＬＣ（Programmable Logic Controller）１０等が収容されている。電力監視装置１００は、電源２から電力供給を受けて動作する。メモリカードスロット３は、例えば、ＳＤカード等のメモリカードを挿入することができるように構成されている。データ入力部２０は、被監視装置の電力値等を該被監視装置から受け取る。状態信号入力部３０は、被監視装置の状態を示す状態信号を受け取る。状態信号については後述する。ディスプレイ５１は、被監視装置の消費電力等を表示する。
【００２０】
図１では示されていないが、電力監視装置１００は、パーソナルコンピュータ（以下、単にＰＣとも言う）等の外部装置と通信接続することができるようにＬＡＮ（Local Area Network）ポートをさらに備えていてもよい。これにより、上位システム（図示せず）に複数の電力監視装置１００を通信可能に接続し、上位システムにおいて複数の電力監視装置１００を集中管理してもよい。
【００２１】
図２は、第１の実施形態に従った電力監視装置１００の構成の一例を示すブロック図である。電力監視装置１００は、演算処理部としてのＰＬＣ１０と、データ入力部２０と、状態信号入力部３０と、外部出力部４０と、表示出力部５０と、メモリ６０と、ＰＣ入出力部７０とを備えている。
【００２２】
ＰＬＣ１０は、メモリ６０内に格納されたシーケンスプログラムを実行し、それにより電力監視装置１０の各構成要素を自動でシーケンス制御する。シーケンスプログラムは、メモリ６０内に格納されている。ＰＬＣ１０がシーケンスプログラムを実行することによって、ＰＬＣ１０は、被監視装置で消費される電力値の記録を開始し、あるいは、停止する。ユーザは、その電力値の記録の開始または停止の条件を設定するためにメモリ６０内のシーケンスプログラムを書き換えることができる。その際、ユーザは、ＰＣ入出力部７０に接続された外部ＰＣ（Personal Computer）を操作することによってシーケンスプログラムを書き換える。
【００２３】
シーケンスプログラムは、電力値の記録の開始条件および停止条件を含む。ＰＬＣ１０は、シーケンスプログラムの開始条件を満たしたときに、被監視装置の電力値の記録を開始し、停止条件を満たしたときに被監視装置の電力値の記録を停止する。尚、演算処理部は、ＰＬＣ１０およびシーケンスプログラムに代えて、汎用ＣＰＵ(Central Processing Unit)およびプログラムで構成してもよい。
【００２４】
データ入力部２０は、上述の通り、被監視装置の電力データ等の監視値を受け取る。例えば、監視値は、被監視装置で消費される電力、被監視装置に印加される電圧、被監視装置に供給される電流、被監視装置の温度や圧力等の値である。より詳細には、データ入力部２０は、電力データ入力部２１と、アナログデータ入力部２２と、電圧データ入力部２３と、第１の電流データ入力部２４と、第２の電流データ入力部２５と、第３の電流データ入力部２６とを備えている。
【００２５】
電力データ入力部２１は、被監視装置で消費される電力の測定値（以下、電力値）を受け取る。電力値は、被監視装置に取り付けられた電力測定器から得ることができる。尚、電力値は、電圧値および電流値に基づいて算出され得る値である。従って、データ入力部２０は、電圧値および電流値、または、電力値のいずれか一方あるいは両方を受け取ってもよい。データ入力部２０が電力値を受け取っている場合、ＰＬＣ１０は、電力値をそのまま記録し、あるいは、電力値をそのままディスプレイ５１に表示させることができる。一方、ＰＬＣ１０は、電圧値および電流値から電力値を算出してもよい。この場合、ＰＬＣ１０は、電力値だけでなく、電圧値および電流値も記録し、あるいは、ディスプレイ５１に表示させることができる。従って、本実施形態による電力監視装置１００は、電力データ入力部２１の他に、電圧データ入力部２３および第１から第３の電流データ入力部を備えている。
【００２６】
電圧データ入力部２３は、被監視装置に電力を供給する電源電圧の測定値（以下、電圧値）を受け取る。電圧値は、被監視装置に取り付けられた電圧測定器から得ることができる。
【００２７】
第１〜第３の電流データ入力部２４〜２６は、それぞれ被監視装置に供給される電流の測定値（以下、電流値）を受け取る。電流値は、被監視装置に取り付けられた電流測定器から得ることができる。本実施形態において、電力監視装置１００は、３つの電流データ入力部２４〜２６を備えている。第１〜第３の電流データ入力部２４〜２６は、複数の被監視装置、あるいは、或る被監視装置の複数の部分（以下、測定部分ともいう）に配置された複数の電流測定器からそれぞれ電流値を受け取る。これにより、ＰＬＣ１０は、複数の被監視装置の各電力、あるいは、複数の測定部分の各電力をそれぞれ算出することができる。
【００２８】
電流データ入力部の数は、特に限定しない。従って、電流データ入力部は、２つ設けてもよく、あるいは、４つ以上設けてもよい。電力監視装置１００は、電流データ入力部の個数と同数かそれより少ない被監視装置または測定部分の電流値を受け取ることができる。複数の被監視装置あるいは複数の測定部分の電力算出については後で詳細に説明する。
【００２９】
アナログデータ入力部２２は、工作機械の加工部や射出成形機のバンドヒータの温度データ、クーラントや油の流量データ、射出成形機の型締力のデータ等のアナログデータを受け取る。このように、データ入力部２０は、電力データ、あるいは、電圧データおよび電流データだけでなく、他のアナログデータを監視値として入力する。
【００３０】
監視値は、ＰＬＣ１０の内部メモリ１１に格納してもよい。あるいは、監視値は、メモリカードスロット３に挿入された外部メモリに格納してもよい。外部メモリを用いることによって、電力監視装置１００に外部ＰＣを接続することなく、電力監視装置１００から監視値のデータを取り出すことができる。以下、監視対象を電力値として説明を続ける。
【００３１】
状態信号入力部３０は、被監視装置の状態を示す状態信号を受け取る。状態信号は、電力監視装置１００が被監視装置の電力の監視を開始し、あるいは、停止するためのトリガとなる信号である。例えば、被監視装置が工作機械または射出成形機の場合、状態信号は、工作機械または射出成形機側のシーケンサ（ＰＬＣ）から入出力されるＩ／Ｏ信号である。より詳細には、状態信号は、工作機械または射出成形機の電源のオン状態またはオフ状態を示す信号でもよい。状態信号は、工作機械または射出成形機が加工を開始した状態を示す信号（加工開始信号）または加工を停止した状態を示す信号（加工停止信号）でもよい。状態信号は、工作機械または射出成形機の特定のモータの回転開始または回転停止を示す信号でもよい。さらに、状態信号は、工作機械または射出成形機の動作部分が所定の位置まで移動したときに出力されるリミットスイッチのオン／オフの信号であってもよい。状態信号は、被監視装置の非常停止信号であってもよい。
【００３２】
被監視装置が加工プログラムおよびＣＰＵによって動作する場合、状態信号は、工作機械または射出成形機における所定の加工プログラムの各加工ステップを示すシーケンス番号であってもよい。工作機械または射出成形機がシーケンスプログラムおよびＰＬＣによって動作する場合、状態信号は、ラダーロジックまたはラダー言語におけるスイッチングの情報（オン／オフ）であってもよい。さらに、状態信号は、不具合あるいは不良を知らせる信号であってもよい。
【００３３】
これらの状態信号は、通常、工作機械または射出成形機等の被監視装置に内蔵されたＰＬＣ等の制御部から出力されており、容易に取り出すことができる。
【００３４】
状態信号が所定の条件を満たす場合に、電力監視装置１００は被監視装置の電力およびアナログデータの監視を開始し、あるいは、これらの状態信号が所定の条件を満たさなくなった場合に、被監視装置の電力およびアナログデータの監視を停止する。
【００３５】
外部出力部４０は、電力値に応じて被監視装置へ信号を出力する。例えば、電力値が所定値を超えた場合に、外部出力部４０は、被監視装置の動作を停止する信号を出力してもよい。外部出力部４０は、電力値を外部ＰＣへ出力してもよい。外部出力部４０は、例えば、有線ＬＡＮまたは無線ＬＡＮによって被監視装置または外部ＰＣと通信接続されている。
【００３６】
表示出力部５０は、被監視装置の電力値をディスプレイ５１へ出力する。ディスプレイ５１は、被監視装置の電力値を数値またはグラフで表示する。これにより、ユーザは、被監視装置の消費電力を容易に把握することができる。
【００３７】
図３は、第１の実施形態による電力監視装置１００と被監視装置２００−１〜２００−３との接続関係の一例を示す図である。本実施形態では、電力監視装置１００は、３つの被監視装置２００−１〜２００−３のそれぞれの消費電力を算出する。被監視装置２００−１〜２００−３は、例えば、電源から電力供給を受けて動作する工作機械または射出成形機等の機械である。尚、被監視装置の個数は、電力監視装置１００に設けられた電流データ入力部の個数を超えない限りにおいて、特に限定しない。
【００３８】
被監視装置２００−１〜２００−３には、それぞれ電流測定器ＣＴ１〜ＣＴ３が取り付けられている。本実施形態では、電流測定器ＣＴ１〜ＣＴ３は、それぞれ被監視装置２００−１〜２００−３の電源部に取り付けられており、被監視装置２００−１〜２００−３に供給される電流値Ｉ１〜Ｉ３を周期的に測定する。電流測定器ＣＴ１〜ＣＴ３は、測定された電流値Ｉ１〜Ｉ３をそれぞれ第１から第３の電流データ入力部２４〜２６へ送信する。
【００３９】
また、被監視装置２００−１には、電圧測定器ＶＭが取り付けられている。本実施形態では、電圧測定器ＶＭは、被監視装置２００−１の電源部のみに取り付けられており、被監視装置２００−１に印加される電圧Ｖ１を周期的に測定する。電圧測定器ＶＭは、測定された電圧値Ｖ１を電圧データ入力部２３へ送信する。一方、電圧測定器ＶＭは、被監視装置２００−２および２００−３には取り付けられていない。従って、本実施形態では、被監視装置２００−１のみにおいて電圧測定が実行される。
【００４０】
一般に、工作機械または射出成形機等の被監視装置が複数の設置された場合、これらの複数の被監視装置は、電圧の等しい電源から電力供給を受けることが多い。このような工作機械または射出成形機等を被監視装置とした場合、被監視装置２００−１〜２００−３は、電源から等しい電圧を受けている。
【００４１】
従って、本実施形態では、被監視装置２００−１のみに電圧測定器ＶＭを取り付け、電圧測定器ＶＭは被監視装置２００−１の電源の電圧値Ｖ１のみを測定する。電力監視装置１００は、電圧値Ｖ１を被監視装置２００−１から受け取ると、被監視装置２００−１の電力計算に用いるだけでなく、電圧値Ｖ１を他の被監視装置２００−２および２００−３の電力算出にも援用する。被監視装置２００−１〜２００−３は、等しい電源電圧を受けているので、電圧Ｖ１を被監視装置２００−２および２００−３に援用しても差し支えない。即ち、電力監視装置１００は、被監視装置２００−１の電源電圧Ｖ１を用いて、被監視装置２００−１〜２００−３のそれぞれの電力値を正確に算出することができる。
【００４２】
ＰＬＣ１０は、電圧値Ｖ１と電流値Ｉ１とに基づいて第１の被監視装置２００−１の消費電力を算出する。例えば、ＰＬＣ１０は、電圧値Ｖ１と電流値Ｉ１とを乗算することによって第１の被監視装置２００−１の消費電力を算出する。ＰＬＣ１０は、電圧値Ｖ１と電流値Ｉ２とに基づいて第２の被監視装置２００−２の消費電力を算出する。例えば、ＰＬＣ１０は、電圧値Ｖ１と電流値Ｉ２とを乗算することによって第２の被監視装置２００−２の消費電力を算出する。さらに、ＰＬＣ１０は、電圧値Ｖ１と電流値Ｉ３とに基づいて第３の被監視装置２００−３の消費電力を算出する。例えば、ＰＬＣ１０は、電圧値Ｖ１と電流値Ｉ３とを乗算することによって第３の被監視装置２００−３の消費電力を算出する。このように、本実施形態による電力監視装置１００は、単一の被監視装置２００−１からの電圧値Ｖ１を複数の被監視装置２００−１〜２００−３の電流値Ｉ１〜Ｉ３に共通に適用することによって、複数の被監視装置２００−１〜２００−３のそれぞれの電力値を算出することができる。
【００４３】
本実施形態によれば、電圧測定器ＶＭは、複数の被監視装置２００−１〜２００−３に対して１つだけ配置すればよく、複数の被監視装置２００−１〜２００−３に対して共通に用いられる。従って、各被監視装置２００−１〜２００−３のそれぞれに対して電圧測定器ＶＭを設ける必要が無い。複数の被監視装置２００−１〜２００−３に対して単一の電圧測定器ＶＭを共有させることができるので、電力監視装置１００は、複数の被監視装置２００−１〜２００−３の電力値を低コストで算出しかつ記録することができる。
【００４４】
さらに、本実施形態による電力監視装置１００は、電力測定器を必要とせず、電圧測定器ＶＭおよび電流測定器ＣＴ１〜ＣＴ３を用いて複数の被監視装置２００−１〜２００−３の電力値を算出することができる。一般に、電力測定器は、電圧測定器および電流測定器に比較して非常に高価である。従って、本実施形態による電力監視装置１００は、複数の被監視装置２００−１〜２００−３の電力値をさらに低コストで算出し、かつ、記録することができる。
【００４５】
これにより、本実施形態による電力監視装置１００を用いれば、ユーザは、被監視装置２００−１〜２００−３の中で多く電力を消費している被監視装置を低コストかつ容易に判断することができる。
【００４６】
尚、電力監視装置１００は、状態信号を被監視装置２００−１〜２００−３のそれぞれから入力してよい。これにより、電圧値、電流値、アナログデータ等の監視値の記録を被監視装置ごとに開始し、あるいは、停止することができる。
【００４７】
（第１の実施形態の変形例）
図４は、第１の実施形態の変形例による電力監視装置１００と被監視装置２００−１〜２００−３との接続関係の一例を示す図である。本変形例では、電圧測定器ＶＭおよび電流測定器ＣＴ１に代えて、電力測定器ＰＭを被監視装置２００−１に取り付けている点で第１の実施形態と異なる。通常、電力測定器ＰＭは電力値とともに電圧値も出力する。従って、電力測定器ＰＭは、被監視装置２００−１で消費される電力値Ｐ１だけでなく、被監視装置２００−１の電源の電圧値Ｖ１も出力する。電力監視装置１００は、電力データ入力部２１および電圧データ入力部２３において、電力測定器ＰＭからの電力値Ｐ１および電圧値Ｖ１を受け取る。
【００４８】
電力監視装置１００は、被監視装置２００−１の電力値については電力測定器ＰＭで測定された電力値をそのまま用いればよい。さらに、電力監視装置１００は、被監視装置２００−２および２００−３の電力値については電力測定器ＰＭで測定された電圧値Ｖ１と電流測定器ＣＴ２、ＣＴ３で測定された電流値Ｉ２、Ｉ３とを用いて算出する。これにより、本変形例では、１つの電力測定器ＰＭを被監視装置２００−１のみに取り付け、該電力測定器ＰＭからの電圧値Ｖ１を複数の被監視装置２００−１〜２００−３において共通に用いることができる。
【００４９】
上述の通り、電力測定器ＰＭは電圧測定器および電流測定器に比較して高価である。しかし、本変形例では、電力測定器ＰＭは、複数の被監視装置２００−１〜２００−３に対して１つだけ配置すれば足り、複数の被監視装置２００−１〜２００−３に対して共通に用いられる。従って、各被監視装置２００−１〜２００−３のそれぞれに対して電力測定器ＰＭを設ける必要が無い。その結果、電力監視装置１００は、複数の被監視装置２００−１〜２００−３の電力値を低コストで算出し、かつ、記録することができる。
【００５０】
（第２の実施形態）
図５は、第２の実施形態による電力監視装置１００−１〜１００−３（電力監視システム）と被監視装置２００−１〜２００−３との接続関係の一例を示す図である。第２の実施形態では、３つの電力監視装置１００−１〜１００−３が３つの被監視装置２００−１〜２００−３のそれぞれに対応して設けられており、被監視装置２００−１〜２００−３のそれぞれの消費電力を算出する。電力監視装置１００−１〜１００−３は、それぞれ図２に示す電力監視装置１００と同じ構成でよい。但し、第２の実施形態では、電力監視装置１００−１〜１００−３はそれぞれ被監視装置２００−１〜２００−３に対応して設けられている。従って、電力監視装置１００−１〜１００−３はそれぞれ電流データ入力部を１つずつ備えていればよい。例えば、電力監視装置１００−１〜１００−３は、電流データ入力部２４を備え、電流データ入力部２５、２６を省略してもよい。また、電力監視装置の個数および被監視装置の個数は、特に限定しない。さらに、第２の実施形態においても、被監視装置２００−１〜２００−３は、電源から等しい電圧を受けているものとする。
【００５１】
被監視装置２００−１〜２００−３には、それぞれ電流測定器ＣＴ１〜ＣＴ３が取り付けられている。第２の実施形態において、電流測定器ＣＴ１〜ＣＴ３は、それぞれ被監視装置２００−１〜２００−３の電源部に取り付けられており、被監視装置２００−１〜２００−３に供給される電流値Ｉ１〜Ｉ３を周期的に測定する。電流測定器ＣＴ１〜ＣＴ３は、測定された電流値Ｉ１〜Ｉ３をそれぞれ電力監視装置１００−１〜１００−３の各電流データ入力部２４へ送信する。
【００５２】
また、被監視装置２００−１には、電圧測定器ＶＭが取り付けられている。電圧測定器ＶＭは、被監視装置２００−１の電源部のみに取り付けられており、被監視装置２００−１に印加される電圧Ｖ１を周期的に測定する。電圧測定器ＶＭは、測定された電圧値Ｖ１を電力監視装置１００−１の電圧データ入力部２３へ送信する。一方、電圧測定器ＶＭは、被監視装置２００−２および２００−３には取り付けられていない。従って、第２の実施形態においても、被監視装置２００−１のみにおいて電圧測定が実行される。
【００５３】
第２の実施形態では、被監視装置２００−１のみに電圧測定器ＶＭを取り付け、電圧測定器ＶＭは、被監視装置２００−１の電源の電圧値Ｖ１のみを測定する。電力監視装置１００−１は、被監視装置２００−１の電圧値Ｖ１を電圧データ入力部２３において受け取る。さらに、電力監視装置１００−１は、通信回線Ｌを介して電圧値Ｖ１を他の電力監視装置１００−２および１００−３へ送信する。
【００５４】
電力監視装置１００−１は、通信回線Ｌによって電力監視装置１００−２、１００−３と通信可能に接続されている。通信回線Ｌは、例えば、ＬＡＮ（Local Area Network）、インターネット等の任意の通信回線でよい。
【００５５】
電力監視装置１００−２、１００−３の電圧データ入力部２３は、通信回線Ｌを介して電圧値Ｖ１を受け取る。これにより、電力監視装置１００−２、１００−３は、電圧測定器ＶＭで測定された電圧Ｖ１を被監視装置２００−２および２００−３の電力算出に援用することができる。被監視装置２００−１〜２００−３は、等しい電源電圧を受けているので、電圧Ｖ１を被監視装置２００−２および２００−３に援用しても差し支えない。即ち、電力監視装置１００−１〜１００−３は、被監視装置２００−１の電圧値Ｖ１を用いて、被監視装置２００−１〜２００−３のそれぞれの電力値を正確に算出することができる。
【００５６】
電力監視装置１００−１のＰＬＣ１０は、電圧値Ｖ１と電流値Ｉ１とに基づいて第１の被監視装置２００−１の消費電力を算出する。例えば、電力監視装置１００−１のＰＬＣ１０は、電圧値Ｖ１と電流値Ｉ１とを乗算することによって第１の被監視装置２００−１の消費電力を算出する。電力監視装置１００−２のＰＬＣ１０は、電圧値Ｖ１と電流値Ｉ２とに基づいて第２の被監視装置２００−２の消費電力を算出する。例えば、電力監視装置１００−２のＰＬＣ１０は、電圧値Ｖ１と電流値Ｉ２とを乗算することによって第２の被監視装置２００−２の消費電力を算出する。さらに、電力監視装置１００−３のＰＬＣ１０は、電圧値Ｖ１と電流値Ｉ３とに基づいて第３の被監視装置２００−３の消費電力を算出する。例えば、電力監視装置１００−３のＰＬＣ１０は、電圧値Ｖ１と電流値Ｉ３とを乗算することによって第３の被監視装置２００−３の消費電力を算出する。このように、第２の実施形態による電力監視装置１００−１〜１００−３は、電圧値Ｖ１を複数の被監視装置２００−１〜２００−３の電流値Ｉ１〜Ｉ３に共通に適用することによって、複数の被監視装置２００−１〜２００−３のそれぞれの電力値を算出することができる。
【００５７】
第２の実施形態によれば、電圧測定器ＶＭは、複数の被監視装置２００−１〜２００−３に対して１つだけ配置すればよく、複数の被監視装置２００−１〜２００−３に対して共通に用いられる。また、第２の実施形態による電力監視装置１００−１〜１００−３は、電力測定器を必要としない。従って、第２の実施形態は、第１の実施形態と同様の効果を得ることができる。
【００５８】
尚、電力監視装置１００−１〜１００−３は、状態信号を被監視装置２００−１〜２００−３のそれぞれから入力してよい。これにより、電力監視装置１００−１〜１００−３は、電圧値、電流値、アナログデータ等の監視値の記録を被監視装置２００−１〜２００−３のそれぞれについて開始し、あるいは、停止することができる。
【００５９】
（第２の実施形態の変形例）
図６は、第２の実施形態の変形例による電力監視装置１００−１〜１００−３と被監視装置２００−１〜２００−３との接続関係の一例を示す図である。本変形例は、第２の実施形態と第１の実施形態の変形例との組み合わせである。
【００６０】
本変形例では、電圧測定器ＶＭおよび電流測定器ＣＴ１に代えて、電力測定器ＰＭを被監視装置２００−１に取り付けている点で第２の実施形態と異なる。従って、電力測定器ＰＭは、被監視装置２００−１で消費される電力値Ｐ１および被監視装置２００−１の電源の電圧値Ｖ１を出力する。電力監視装置１００−１は、電力データ入力部２１および電圧データ入力部２３において、電力測定器ＰＭからの電力値Ｐ１および電圧値Ｖ１を受け取る。
【００６１】
電力監視装置１００−１は、被監視装置２００−１の電力値について、電力測定器ＰＭで測定された電力値をそのまま用いればよい。さらに、電力監視装置１００−１は、被監視装置２００−２および２００−３の電力値について、電力測定器ＰＭで測定された電圧値Ｖ１と電流測定器ＣＴ２、ＣＴ３で測定された電流値Ｉ２、Ｉ３とを用いて算出する。これにより、本変形例では、１つの電力測定器ＰＭを被監視装置２００−１のみに取り付け、該電力測定器ＰＭからの電圧値Ｖ１を複数の被監視装置２００−１〜２００−３で共通に用いることができる。
【００６２】
本変形例では、電力測定器ＰＭは、複数の被監視装置２００−１〜２００−３に対して１つだけ配置すればよく、複数の被監視装置２００−１〜２００−３に対して共通に用いられる。従って、第２の実施形態の変形例は、第１の実施形態の変形例と同様の効果を得ることができる。
【００６３】
上記第１および第２の実施形態は、組み合わせることができる。例えば、複数の被監視装置２００のうち一部の複数の被監視装置２００については、図３または図４に示すように電力監視装置１００を共通に設ける。複数の被監視装置２００のうちその他の残りの複数の被監視装置２００については、図５または図６に示すように電力監視装置１００を各被監視装置２００ごとに対応して設ける。このように、第１および第２の実施形態を組み合わせても、第１および第２の実施形態の効果は失われない。
【００６４】
（被監視装置の複数部分の電力計算）
また、第１および第２の実施形態において、電力監視装置１００、１００−１〜１００−３は、或る被監視装置２００において異なる複数の部分の電力値を算出してもよい。例えば、被監視装置２００内の複数の部分が同じ電圧の電源から電力供給を受けている場合、電力監視装置１００、１００−１〜１００−３は、これらの複数の部分のそれぞれの電力を算出してもよい。
【００６５】
この場合、電圧測定器ＶＭまたは電力測定器ＰＭは、複数の部分のうち第１の部分のみに取り付けられ、それ以外の部分（第２の部分、第３の部分）には取り付けられない。一方、電流測定器ＣＴは、各部分（第１〜第３の部分）に取り付けられる。
【００６６】
例えば、図３または図４に示す電力監視装置１００を用いる場合、電圧データ入力部２３は、第１の部分の電源部に取り付けられた電圧測定器ＶＭから電圧値を受け取る。電流データ入力部２４は、第１の部分の電源部に取り付けられた電流測定器ＣＴから電流値を受け取る。あるいは、電力測定器ＰＭが第１の部分に取り付けられている場合、電力データ入力部２１は、第１の部分の電源部に取り付けられた電力測定器ＰＭから電力値を受け取る。電流データ入力部２５、２６は、それぞれ第２および第３の部分の電源部に取り付けられた電流測定器ＣＴから電流値を受け取る。
【００６７】
そして、ＰＬＣ１０は、第１の部分の電圧値と電流値とに基づいて、あるいは、第１の部分の電力値に基づいて、第１の部分の消費電力を算出する。また、ＰＬＣ１０は、第１の部分の電圧値と第２の部分の電流値とに基づいて第２の部分の消費電力を算出し、第１の部分の電圧値と第２の部分の電流値とに基づいて第３の部分の消費電力を算出する。
【００６８】
例えば、図５または図６に示す電力監視装置１００を用いる場合、電力監視装置１００−１は、第１の部分の電源部に取り付けられた電圧測定器ＶＭから電圧値を受け取る。電力監視装置１００−１は、第１の部分の電源部に取り付けられた電流測定器ＣＴから電流値を受け取る。あるいは、電力測定器ＰＭが第１の部分に取り付けられている場合、電力監視装置１００−１は、第１の部分の電源部に取り付けられた電力測定器ＰＭから電力値を受け取る。そして、電力監視装置１００−１のＰＬＣ１０は、第１の部分へ供給される電圧値と電流値とに基づいて、あるいは、第１の部分の電力値に基づいて、第１の部分の消費電力を算出する。
【００６９】
一方、電力監視装置１００−２、１００−３は、電力監視装置１００−１から電圧値を受け取る。電力監視装置１００−２、１００−３は、それぞれ第２および第３の部分の電源部に取り付けられた電流測定器ＣＴから電流値を受け取る。そして、電力監視装置１００−２のＰＬＣ１０は、第１の部分の電圧値と第２の部分の電流値とに基づいて第２の部分の消費電力を算出する。電力監視装置１００−３のＰＬＣ１０は、第１の部分の電圧値と第３の部分の電流値とに基づいて第３の部分の消費電力を算出する。
【００７０】
このように、上記第１および第２の実施形態並びにそれらの変形例のうちいずれかの電力監視装置または電力監視システムを用いて、或る被監視装置２００の複数の部分について消費電力を算出することができる。この場合であっても、上記実施形態の効果は失われない。
【符号の説明】
【００７１】
１００・・・電力監視装置、被監視装置２００、１・・・筐体、２・・・電源、３・・・メモリカードスロット、１０・・・ＰＬＣ、１１・・・メモリ、１２・・・タイマ、２０・・・データ入力部、２１・・・電力データ入力部、２２・・・アナログデータ入力部、２３・・・電圧データ入力部、２４〜２６・・・電流データ入力部、３０・・・状態信号入力部、４０・・・外部出力部、５０・・・表示出力部、５１・・・ディスプレイ、６０・・・メモリ、７０・・・ＰＣ入出力部
【図１】
2015064222.tif 000003
【図２】
2015064222.tif 000004
【図３】
2015064222.tif 000005
【図４】
2015064222.tif 000006
【図５】
2015064222.tif 000007
【図６】
2015064222.tif 000008